(57)【特許請求の範囲】
【請求項１】
扉面に取り付けられ開扉方向と同方向に操作される操作バーの操作力を、錠ボルトを作動させる駆動力として錠ケースに入力するプッシュプル錠であって、
前記扉面に固定される台座取付板を介して扉に取り付けられる台座と、
該台座に固定され前記扉面に垂直な軸線の駆動カム支持穴を有するとともに前記扉面に平行なバネ軸を支持するカム取付板と、
前記操作バーに固定され前記扉面に垂直な方向に長い長穴を前記バネ軸に係合して開扉方向と同方向に可動自在なバーガイドと、
前記駆動カム支持穴に回動自在に支持され軸線対称に一対の斜め溝が貫通して穿設された筒状の駆動カムと、
前記バーガイドに基端部が固定されるとともに先端部が該駆動カムの内方に挿入され前記扉面に平行な方向で固定されたスライド軸を前記斜め溝に係合するガイド軸と、
前記駆動カムの一端に相対回転不能に同軸固定され前記錠ケースの回転入力部材に連結される出力軸と、
を具備したことを特徴とするプッシュプル錠。
【請求項２】
中央部が前記バネ軸に外挿され一端が前記カム取付板に支持されるとともに他端が前記スライド軸に支持され前記駆動カムが操作回転前の向きとなるように該スライド軸を付勢するカム戻りバネを、備えたことを特徴とする請求項１記載のプッシュプル錠。
【請求項３】
前記バーガイド及び前記カム取付板が金属材料からなり、該バーガイドに外挿され該バーガイドをスライド自在に支持する合成樹脂材料からなるバーガイド受けが前記カム取付板に固定されたことを特徴とする請求項１又は２記載のプッシュプル錠。
【請求項４】
一方の扉面側に開扉される扉の厚み方向中央部に前記錠ケースが内設され、
独立回動する前記回転入力部材が該錠ケースの前記扉面に平行な両側面のそれぞれに設けられ、
一方の扉面には該扉面に垂直な離反方向に移動操作される第１の前記操作バーが設けられ、
他方の扉面には該扉面に垂直な接近方向に移動操作される第２の前記操作バーが設けられ、
前記第１の操作バーと前記錠ケースの間、及び前記第２の操作バーと前記錠ケースの間のそれぞれには、前記台座取付板、前記台座、前記バネ軸、前記カム取付板、前記バーガイド、前記駆動カム、前記スライド軸、前記ガイド軸及び前記出力軸が配設され、
且つ前記錠ケースを挟んで配置された一対の前記駆動カムが扉両面のそれぞれにおいて逆回転されることを特徴とする請求項１，２，３のいずれか１つに記載のプッシュプル錠。
【発明の詳細な説明】
【技術分野】
【０００１】
本発明は、扉面に取り付けられ開扉方向と同方向に操作される操作バーの操作力を、錠ボルトを作動させる駆動力として錠ケースに入力するプッシュプル錠に関し、更に詳しくは、開扉方向と同方向の操作力を回転力に変換して錠ケースに出力する改良技術に関する。
【背景技術】
【０００２】
住宅玄関扉等には、上下方向長尺に形成された操作バーの上下端を、台座を介して可動自在に扉面に取り付けた所謂プッシュプル錠の採用されることがある。このプッシュプル錠は、例えば外開きの玄関扉に取り付けられる場合、室内側に取り付けられる操作バーは、扉を開放する際、台座に対し押し込み方向に僅かに可動することで、扉に内蔵された錠ケースの錠ボルト（例えばラッチボルト）を錠ケース内へ後退させ、扉を開放可能にする。一方、屋外側に取り付けられる操作バーは、扉を開放する際、台座に対し引っ張り方向に僅かに可動することで、扉に内蔵された錠ケースのラッチボルトを錠ケース内へ後退させ、扉を開放可能にする。これにより、扉表裏において、開扉方向と、ラッチボルト後退操作方向を一致させ、扉の良好な開放操作性を実現している。
【０００３】
プッシュプル錠は、ラッチボルトを内蔵する錠ケースと、操作バーを備えて組み立てられた台座とが、それぞれ別途に扉に取付け固定される。従来、操作バーに入力される開扉操作力は、台座の背面に設けられた揺動レバー片にて、例えば上下方向の揺動端出力として錠ケースへ入力されていた。したがって、錠ケース側には、揺動レバー片の揺動端と係合する揺動入力部材が設けられ、この揺動入力部材が上下動されることで、ラッチボルトが錠ケース内へ後退動作可能となった。
【発明の開示】
【発明が解決しようとする課題】
【０００４】
プッシュプル錠は、操作方向が開扉方向と一致することから、良好な開放操作性が得られるとともに、レバーハンドル等の操作部材に比べ、大型であることからデザイン性にも優れる。このため、プッシュプル錠は、近年、需要が益々増大する傾向にある。
しかしながら、従来、操作バーに入力される開扉操作力は、台座の背面に設けられた揺動レバー片にて、上下方向の揺動出力として錠ケースへ入力されていたため、錠ケースも、揺動レバー片の揺動端と係合する揺動入力部材が設けられるタイプであった。したがって、既設のレバーハンドル錠等をプッシュプル錠に交換する場合には、レバーハンドル等の操作部材は元より、使用可能な錠ケースまでも交換しなければならなかった。このため、回転入力部材を有する既設の錠ケースを利用して、組み付けることが可能となるプッシュプル錠の開発要請があった。
【０００５】
本発明は上記状況に鑑みてなされたもので、操作バーの開扉方向と同方向の操作力を回転力に変換できるプッシュプル錠を提供し、もって、回転入力部材を有する既設の錠ケースに対するプッシュプル錠の組み付けを可能とすることを目的とする。
【課題を解決するための手段】
【０００６】
次に、上記の課題を解決するための手段を、実施の形態に対応する図面を参照して説明する。
本発明の請求項１記載のプッシュプル錠は、扉面１１ａ，１１ｂに取り付けられ開扉方向ａと同方向に操作される操作バー２１，２３の操作力を、錠ボルト２５を作動させる駆動力として錠ケース１９に入力するプッシュプル錠１００であって、
前記扉面１１ａ，１１ｂに固定される台座取付板３１を介して扉１１に取り付けられる台座３３と、
該台座３３に固定され前記扉面１１ａ，１１ｂに垂直な軸線の駆動カム支持穴３５を有するとともに前記扉面１１ａ，１１ｂに平行なバネ軸３７を支持するカム取付板３９と、
前記操作バー２１，２３に固定され前記扉面１１ａ，１１ｂに垂直な方向に長い長穴４１を前記バネ軸３７に係合して開扉方向ａと同方向に可動自在なバーガイド４３と、
前記駆動カム支持穴３５に回動自在に支持され軸線対称に一対の斜め溝４５が貫通して穿設された筒状の駆動カム４７と、
前記バーガイド４３に基端部４９が固定されるとともに先端部５１が該駆動カム４７の内方に挿入され前記扉面１１ａ，１１ｂに平行な方向で固定されたスライド軸５３を前記斜め溝４５に係合するガイド軸５５と、
前記駆動カム４７の一端に相対回転不能に同軸固定され前記錠ケース１９の回転入力部材５７に連結される出力軸５９と、
を具備したことを特徴とする。
【０００７】
このプッシュプル錠では、操作バー２１，２３が扉面１１ａ，１１ｂに垂直な方向に操作されると、ガイド軸５５のスライド軸５３が同方向に移動され、スライド軸５３に斜め溝４５を係合する駆動カム４７が扉面１１ａ，１１ｂに垂直な軸線回りに回転される。この回転が出力軸５９を介して回転入力部材５７へ入力される。つまり、操作バー２１，２３による扉面１１ａ，１１ｂに垂直な方向の操作力が、駆動カム４７にて回転力に変換される。これにより、回転入力部材５７を有する既設の錠ケース２１に対して、開扉方向ａと同方向で操作されるプッシュプル錠１００の出力軸５９が組み付け可能となる。
【０００８】
請求項２記載のプッシュプル錠は、中央部６１が前記バネ軸３７に外挿され一端６３が前記カム取付板３９に支持されるとともに他端６５が前記スライド軸５３に支持され前記駆動カム４７が操作回転前の向きとなるように該スライド軸５３を付勢するカム戻りバネ６７を、備えたことを特徴とする。
【０００９】
このプッシュプル錠では、操作力が無くなると、カム戻りバネ６７の付勢力により、スライド軸５３が斜め溝４５のスライド前の位置へ押し戻される。駆動カム４７は、軸線方向の移動が規制されて回動自在に支持されるので、スライド軸５３の移動に伴って回転される。これにより、駆動カム４７が待機回転位置に回転される。また、これと同時に、バーガイド４３が移動され、バーガイド４３に一体固定された操作バー２１，２３も待機位置に戻される。
【００１０】
請求項３記載のプッシュプル錠は、前記バーガイド４３及び前記カム取付板３９が金属材料からなり、該バーガイド４３に外挿され該バーガイド４３をスライド自在に支持する合成樹脂材料からなるバーガイド受け６９が前記カム取付板３９に固定されたことを特徴とする。
【００１１】
このプッシュプル錠では、扉面１１ａ，１１ｂに垂直な方向でスライドされるバーガイド４３が、バーガイド受け６９を介してカム取付板３９に支持される。これにより、金属材料同士のバーガイド４３とカム取付板３９が摺接する構成に比べ、衝撃が吸収され、低摩擦でスムースなバーガイド４３のスライドが可能となる。
【００１２】
請求項４記載のプッシュプル錠は、一方の扉面１１ａ側に開扉される扉１１の厚み方向中央部に前記錠ケース１９が内設され、
独立回動する前記回転入力部材５７が該錠ケース１９の前記扉面に平行な両側面８５ａ，８５ｂのそれぞれに設けられ、
一方の扉面１１ａには該扉面１１ａに垂直な離反方向Ｌに移動操作される第１の前記操作バー２１が設けられ、
他方の扉面１１ｂには該扉面１１ｂに垂直な接近方向Ｎに移動操作される第２の前記操作バー２３が設けられ、
前記第１の操作バー２１と前記錠ケース１９の間、及び前記第２の操作バー２３と前記錠ケース１９の間のそれぞれには、前記台座取付板３１、前記台座３３、前記バネ軸３７、前記カム取付板３９、前記バーガイド４３、前記駆動カム４７、前記スライド軸５３、前記ガイド軸５５及び前記出力軸５９が配設され、
且つ前記錠ケース１９を挟んで配置された一対の前記駆動カム４７が扉両面１１ａ，１１ｂのそれぞれにおいて逆回転されることを特徴とする。
【００１３】
このプッシュプル錠では、扉両面１１ａ，１１ｂに設けられ開扉方向ａと同方向に操作、すなわち、開扉方向ａと同方向の開扉側（手前となる側）では引っ張り操作、その反対側である扉が離れていく側では押し操作とされるそれぞれの操作バー２１，２３からの操作力が、表裏の駆動カム４７，４７の逆回転により、表裏の出力軸５９，５９へ逆回転で伝達される。つまり、それぞれの扉面側から見た場合、一方の扉面１１ａ側の回転入力部材５７が例えば時計回りに回転されると、他方の扉面１１ｂ側の回転入力部材５７が反時計回りに回転される。これにより、錠ケース両側に表出する回転入力部材５７，５７が同一軸線回りの同一方向に回転可能となる。なお、同一構造のプッシュプル機構を扉１１の表裏１１ａ，１１ｂに設けた場合には、それぞれの扉面１１ａ，１１ｂ側から見た場合、一方の扉面１１ａ側の回転入力部材５７が例えば時計回りに回転されれば、他方の扉面１１ｂ側の回転入力部材５７も時計回りに回転される。この場合、錠ケース両側に表出する一対の回転入力部材５７，５７は、同一軸線回りで同一方向には回転されず、逆回転となってしまう。
【発明の効果】
【００１４】
本発明に係る請求項１記載のプッシュプル錠によれば、台座にカム取付板を固定し、カム取付板に筒状の駆動カムを回動自在に支持し、操作バーに固定されたバーガイドの長穴を、カム取付板のバネ軸に係合して操作バーを扉面に垂直な方向に移動自在に支持し、バーガイドに固定したガイド軸を、スライド軸を介して駆動カムの斜め溝に係合したので、操作バーが扉面に垂直な方向に操作されると、ガイド軸のスライド軸が同方向に移動し、スライド軸に斜め溝を係合する駆動カムが扉面に垂直な軸線回りに回転され、この回転が出力軸を介して回転入力部材へ入力される。つまり、操作バーによる扉面に垂直な方向の操作力を、駆動カムにて回転力に変換できる。したがって、回転入力部材を有する既設の錠ケースに、プッシュプル錠の出力軸を組み付けることが可能となる。この結果、既設の錠ケースを流用して、意匠性、操作性に優れたプッシュプル錠を安価に取り付けできる。
【００１５】
請求項２記載のプッシュプル錠によれば、中央部がバネ軸に外挿され一端がカム取付板に支持されるとともに他端がスライド軸に支持され駆動カムが操作回転前の向きとなるようにスライド軸を付勢するカム戻りバネを備えたので、操作力が無くなると、カム戻りバネの付勢力により、スライド軸が斜め溝のスライド前の位置へ押し戻され、駆動カムが待機回転位置に回転される。また、これと同時に、バーガイドが移動され、操作バーも待機位置に戻される。
【００１６】
請求項３記載のプッシュプル錠によれば、バーガイド及びカム取付板が金属材料からなり、バーガイドに外挿されバーガイドをスライド自在に支持する合成樹脂材料からなるバーガイド受けがカム取付板に固定されたので、バーガイドがバーガイド受けを介してカム取付板に支持され、金属材料同士のバーガイドとカム取付板が摺接する構成に比べ、衝撃を吸収し、低摩擦でスムースなバーガイドのスライド、すなわち、操作バーの操作を可能にできる。
【００１７】
請求項４記載のプッシュプル錠によれば、開扉側の扉面には離反方向に移動操作される第１の操作バーが設けられ、その反対面には接近方向に移動操作される第２の操作バーが設けられ、錠ケースを挟んで配置された一対の駆動カムが扉両面のそれぞれにおいて逆回転されるので、扉両面に設けられ開扉方向と同方向に操作されるそれぞれの操作バーからの操作力で、錠ケースの回転入力部材を同一方向に回転させることができる。つまり、扉表裏で異なる方向の操作力を同一方向の回転力として錠ケースに入力することができる。この結果、回転入力部材以下の錠ボルトを進退作動させるための錠ケース内進退機構を単一機構で構成することができる。
【発明を実施するための最良の形態】
【００１８】
以下、本発明に係るプッシュプル錠の好適な実施の形態を図面を参照して詳細に説明する。
図１は本発明に係るプッシュプル錠を備えた扉の斜視図である。
プッシュプル錠１００の設けられる扉１１は、矢印ａ方向へ開扉可能に不図示のヒンジにて支持される。本実施の形態の扉１１は、枠体１３にガラス１５を嵌めたガラス扉として構成される。プッシュプル錠１００は、枠体１３の開閉端側の縦框１７に取り付けられる。したがって、扉１１が外開きの玄関扉の場合には、開扉側が表面（屋外面）１１ａ、その反対側が裏面（室内面）１１ｂとなる。
【００１９】
一方の扉面（表面１１ａ）側に開扉される扉１１の厚み方向中央部には錠ケース１９が内設される。表面１１ａには、この表面１１ａに離反方向Ｌ（図２参照）に揺動操作される第１の操作バー（屋外操作バー）２１が設けられる。また、他方の扉面（裏面１１ｂ）には、この裏面１１ｂに接近方向Ｎ（図２参照）に揺動操作される第２の操作バー（室内操作バー）２３が設けられる。プッシュプル錠１００は、開扉方向ａと同方向に操作される屋外操作バー２１、室内操作バー２３の操作力を、錠ボルト２５を作動させる回転駆動力として錠ケース１９に入力するため、以下の構成を備える。
【００２０】
図２は図１のＡ−Ａ断面図、図３は図２のＢ−Ｂ矢視図、図４は錠ケース及び台座取付板の扉取付前の分解斜視図である。
図２，図３，図４において、３１は台座取付板、３３は台座、３５は駆動カム支持穴、３７はバネ軸、３９はカム取付板、４１は長穴、４３はバーガイド、４５は斜め溝、４７は駆動カム、４９は基端部、５１は先端部、５３はスライド軸、５５はガイド軸、５７は回転入力部材、５９は出力軸、６１はカム戻りバネ６７の中央部、６７はカム戻りバネ、６３はカム戻りバネ６７の一端、６５はカム戻りバネ６７の他端、６９はバーガイド受け、７１はスタッドナット、７３は取付プレート、７５は台座取付板固定ネジ、７７は台座固定ネジである。
【００２１】
プッシュプル錠１００は、扉１１の表裏１１ａ，１１ｂに、上下一対ずつ合計４つの台座３３が取り付けられる。このうち、下部に取り付けられる台座３３，３３には、駆動カム４７が設けられず、ガイド軸５５が筒状のガイド筒（不図示）にてスライド自在に支持されるようになっている。なお、下部に取り付けられる台座３３，３３は、カム取付板３９、バネ軸３７、スライド軸５３、カム戻りバネ６７は備えており、屋外操作バー２１、室内操作バー２３の引き操作又は押し操作の復帰付勢はなされるようになっている。また、扉表裏１１ａ，１１ｂの上部に設けられる台座３３，３３において、駆動カム４７の取付向きが、図３に示すように、錠ケース１９に対して左右逆向きとなっている。これにより、後述するように、引き操作、押し操作により異なる操作バー２１，２３の操作向きを、表裏１１ａ，１１ｂにおける出力軸５９，５９の同一軸線回りの回転方向に変換している。
【００２２】
このように、プッシュプル錠１００では、扉１１の表裏１１ａ，１１ｂに、同一部材を用いて扉１１を挟み略対称（駆動カム４７、カム戻りバネ６７を除く）に構成される。したがって、以下の説明では、扉の開放時に操作バー２１を引く側である屋外操作バー２１側（プル側）における上部台座３３内の構成を代表例として説明する。
【００２３】
錠ケース１９は、図４に示す扉１１の木口７９に形成された収容穴８１に挿入され、フロント裏板８３が不図示のネジにて木口７９に固定される。錠ケース１９は、独立回動する回転入力部材５７，５７が、錠ケース１９の両側面８５ａ，８５ｂにそれぞれ配設されている。また、フロント裏板８３にはリリーサー８７が表出され、リリーサー８７はフロント裏板８３の表面に取り付けられるフロント板８９にて覆われる。図４中、８９ａは錠ボルト突出穴を示す。リリーサー８７は、例えば相手部材（相手側ガラス扉又は開口枠等）に設けられたマグネット、或いは電磁石からの斥力を受けることで作動し、錠ボルト２５の突出規制（後退状態）を解除する。ガラス扉に設けられる錠装置は、衝接時の反力を発生させないため、相手部材との衝接による反力を利用しない錠ボルト（角ボルト）２５として形成されている。錠ボルト２５は、閉扉状態でのみ突出し、開扉状態では突出が規制されて後退保持（収納）されている。リリーサー８７は、閉扉時におけるこの突出規制を解除する。なお、本発明に係るプッシュプル錠１００は、通常の衝接傾斜面を有するラッチボルト機構においても適用できるものである。
【００２４】
図４に示すように、錠ケース１９の両側面８５ａ，８５ｂには、スタッドナット７１を嵌入固定した取付プレート７３が取り付けられる。台座取付板３１は、取付穴９１と扉取付穴９３とに挿通した台座取付板固定ネジ７５を、スタッドナット７１に螺着して取り付けられる。台座取付板３１の側面にはネジ穴９５，９５が形成され、ネジ穴９５，９５は台座３３の透孔９７，９７（図５参照）に挿通される台座固定ネジ７７と螺合する。つまり、台座３３は、台座取付板３１を介して扉１１に取り付けられる。図４中、９２は出力軸５９を挿通する台座板穴、９４は出力軸５９を挿通する扉切欠穴、９６は出力軸５９を挿通するプレート穴を示す。
【００２５】
図５は台座、カム取付板及びバーガイドの分解斜視図、図６はカム取付板、バーガイド受け、スライド軸、ガイド軸及びバーガイドの分解斜視図、図７は出力軸、駆動カム、バネ軸、スライド軸及びベアリングの分解斜視図である。
図５，図６，図７において、１０１はカム取付板固定ネジ、１０３はカム取付板固定穴、１０５はバーガイド受け固定突起、１０７はバーガイド受け固定ネジ、１０９はバーガイド受け固定穴、１１１はバーガイド受け入れ穴、１１３はバーガイド受け開口部、１１５はバネ軸支持穴、１１７はバネ軸３７を支持する支持穴、１１９はバーガイド固定穴、１２１はバーガイド固定ネジ、１２３はガイド軸固定穴、１２５はガイド軸５５の加締め部、１２７はスライド軸挿入穴、１２９はスライド軸５３のスライドするスライド穴、１３３はガイドリング、１３５はブッシュ、１３７はベアリング、１３９はフランジ、１４１はＥリング、１４３はＥリング装着溝、１４５は出力軸連結穴、１４７は出力軸連結ピン、１４９は出力軸５９の連結端部、１５１は出力軸５９の連結ピン挿入穴、１５３は出力軸５９の角軸部である。
【００２６】
カム取付板３９は、図５に示すカム取付板固定穴１０３に挿通したカム取付板固定ネジ１０１を台座３３に螺合することで台座３３に固定される。カム取付板３９には表面１１ａに垂直な軸線の駆動カム支持穴３５が形成される。この駆動カム支持穴３５には図７に示すベアリング１３７を介して駆動カム４７が回動自在に支持される。カム取付板３９の両側板には支持穴１１７が穿設され、支持穴１１７はバネ軸３７を表面１１ａと平行に支持する。
【００２７】
バーガイド４３は、板金材によりＬ字形状に形成され、バーガイド固定穴１１９に挿通されたバーガイド固定ネジ１２１を屋外操作バー２１に螺合することで、屋外操作バー２１に固定される。バーガイド４３には表面１１ａに垂直な方向に長い長穴４１が形成され、長穴４１はバネ軸３７に係合する。これにより、バーガイド４３及び屋外操作バー２１は、開扉方向ａと同方向に可動自在に支持される。
【００２８】
本実施の形態では、バーガイド４３及びカム取付板３９が金属材料からなり、バーガイド４３をスライド自在に支持する合成樹脂材料からなるバーガイド受け６９が、カム取付板３９に固定される。バーガイド受け６９は、バーガイド受け固定突起１０５に挿通されたバーガイド受け固定ネジ１０７を、カム取付板３９のバーガイド受け固定穴１０９に螺合して、バーガイド受け開口部１１３に固定される。固定されたバーガイド受け６９は、バーガイド受け入れ穴１１１にて、バーガイド４３をスライド支持する。これにより、金属材料同士のバーガイド４３とカム取付板３９が摺接する構成に比べ、衝撃が吸収され、低摩擦でスムースなバーガイド４３のスライド、すなわち、屋外操作バー２１の操作が可能となっている。
【００２９】
バーガイド４３には図５に示すガイド軸固定穴１２３が穿設される。ガイド軸固定穴１２３にはガイド軸５５の基端部４９に形成された加締め部１２５が加締め固定される。つまり、バーガイド４３には、表面１１ａに垂直方向のガイド軸５５が扉１１に向かって突設されている（図４，６参照）。
【００３０】
このガイド軸５５の先端部５１にはスライド軸挿入穴１２７が穿設され、スライド軸挿入穴１２７は図６に示すスライド軸５３を軸線直交方向に挿通する。スライド軸５３は、ガイド軸５５と駆動カム４７とを相対摺動自在に連結するとともに、両端がカム取付板３９のスライド穴１２９に移動自在に支持される。
【００３１】
すなわち、駆動カム４７は、図７に示すように筒状に形成され、軸線対称に一対の斜め溝４５が穿設される。駆動カム４７の右端内方にはガイド軸５５の先端部５１が挿入され、斜め溝４５に挿入されたスライド軸５３がガイド軸先端部５１のスライド軸挿入穴１２７を貫通する。駆動カム４７は、フランジ１３９をカム取付板３９における駆動カム支持穴３５の周縁に当接したベアリング１３７を介して、両端側が回動自在に支持される。駆動カム４７は、両端外周に形成されたＥリング装着溝１４３に、Ｅリング１４１が嵌着することで軸線方向の移動が規制される。これにより、屋外操作バー２１の引き操作によりガイド軸５５が離反方向Ｌに移動されると、スライド軸５３を介して駆動カム４７が図７の矢印ｃ方向へ回転されるようになっている。
【００３２】
なお、ベアリング１３７は、フランジ１３９の形成された外輪１３７ａの内側に、円周方向複数配置したボール又はローラ等の転動体（不図示）を介装して内輪１３７ｂが回動自在に組み付けられ、外輪１３７ａが駆動カム支持穴３５の内周に固定されるとともに、内輪１３７ｂが駆動カム４７の外周に固定され、駆動カム４７を回動自在に支持する。
【００３３】
カム取付板３９の支持穴１１７に挿通されるバネ軸３７には図７に示すカム戻りバネ６７の中央部６１が外挿される。カム戻りバネ６７は、一端６３がカム取付板３９の支持穴１６１（図３参照）に支持され、他端６５がスライド軸５３に外挿支持される。これにより、カム戻りバネ６７は、駆動カム４７が操作回転前の向きとなるように、スライド軸５３を付勢する。つまり、スライド軸５３を、図３の矢印ｄ方向に付勢する。
【００３４】
スライド軸５３は、カム戻りバネ６７の付勢力により、操作力が無くなると、斜め溝４５のスライド前の位置へ押し戻される（図３の位置）。駆動カム４７は、軸線方向の移動がＥリング１４１にて規制され、ベアリング１３７にて回動自在に支持されるので、スライド軸５３の移動に伴って回転される。これにより、駆動カム４７が待機回転位置（図３の位置）に回転される。また、これと同時に、バーガイド４３が移動され、バーガイド４３に一体固定された屋外操作バー２１も待機位置（図２，図３の位置）に戻される。
【００３５】
なお、室内操作バー２３側の機構においては、カム戻りバネ６７が逆作動する向きで配設されている。すなわち、カム戻りバネ６７は、スライド軸５３を図３の矢印ｅ方向へ付勢するようになっている。これにより、室内操作バー２３の押し込み操作後における駆動カム４７の復帰回転、及び室内操作バー２３の待機位置（図３の位置）への復帰が可能となっている。
【００３６】
駆動カム４７の錠ケース１９側の端部には、出力軸５９の連結端部１４９が挿入される。駆動カム４７と出力軸５９は、出力軸連結穴１４５、連結ピン挿入穴１５１に挿通された出力軸連結ピン１４７によって連結固定される。出力軸５９の錠ケース１９側の端部には角軸部１５３が形成され、角軸部１５３は錠ケース１９の回転入力部材５７に相対回転不能に挿入される。これにより、駆動カム４７の回転が、出力軸５９を介して回転入力部材５７へ伝達されるようになっている。
【００３７】
プッシュプル錠１００では、扉１１の厚み方向中央部に錠ケース１９が内設され、独立回動する回転入力部材５７が錠ケース１９の両側面８５ａ，８５ｂのそれぞれに設けられる。扉１１の表面１１ａには、表面１１ａに垂直な離反方向Ｌに移動操作される屋外操作バー２１が設けられ、裏面１１ｂには、裏面１１ｂに垂直な接近方向Ｎに移動操作される室内操作バー２３が設けられる。そして、屋外操作バー２１と錠ケース１９の間、及び室内操作バー２３と錠ケース１９の間のそれぞれには、台座取付板３１、台座３３、バネ軸３７、カム取付板３９、バーガイド４３、駆動カム４７、スライド軸５３、ガイド軸５５及び出力軸５９が配設され、且つ錠ケース１９を挟んで配置された一対の駆動カム４７、カム戻りバネ６７が扉両面１１ａ，１１ｂのそれぞれにおいて逆動作する。
【００３８】
次に、上記構成を有するプッシュプル錠１００の作用を説明する。
図８はプル側操作バーが引き操作された状態のプッシュプル錠の平断面図、図９は図８に示したプッシュプル錠の縦断面図である。
室内操作バー２３、屋外操作バー２１の非操作時、スライド軸５３がカム戻りバネ６７の付勢力で非作動位置（図３の状態）となり、表裏１１ａ，１１ｂのスライド軸５３が図６に示すスライド穴１２９の左側に配置される。
【００３９】
一方、図８，図９に示すように、屋外操作バー２１により扉１１が開扉方向ａへ操作されるときには、屋外操作バー２１が開扉方向ａと同じ離反方向Ｌへ操作される。また、室内操作バー２３によるときには、室内操作バー２３が開扉方向ａと同じ接近方向Ｎへ操作される。
【００４０】
例えば、屋外操作バー２１が離反方向Ｌに引かれると、バーガイド４３が固定状態のバネ軸３７に対して図８，図９の右側に移動される。バーガイド４３が移動されると、これに伴って一体固定されているガイド軸５５も同方向へ移動し、スライド軸５３がスライド穴１２９の右端へ移動される。これにより、スライド軸５３と斜め溝４５にて係合している駆動カム４７が、図７、図８の矢印ｃ方向へ回転される。駆動カム４７が回転されると、駆動カム４７に連結固定された出力軸５９が同方向に回転され、この出力軸５９の回転が錠ケース１９の回転入力部材５７に入力され、錠ボルト２５が後退する。
【００４１】
このように、プッシュプル錠１００では、屋外操作バー２１が操作されると、ガイド軸５５のスライド軸５３が同方向に移動され、スライド軸５３に斜め溝４５を係合する駆動カム４７が表面１１ａに垂直な軸線回りに回転される。この回転が出力軸５９を介して回転入力部材５７へ入力される。つまり、屋外操作バー２１による扉面に垂直な方向の操作力が、駆動カム４７にて回転力に変換される。これにより、回転入力部材５７を有する既設の錠ケース１９に対して、開扉方向ａと同方向で直線方向に操作されるプッシュプル錠１００が組み付け可能となる。
【００４２】
また、扉両面に設けられ開扉方向ａと同方向に操作（開扉側では引っ張り操作、その反対側では押し操作）されるそれぞれの屋外操作バー２１、室内操作バー２３からの操作力が、表裏の駆動カム４７，４７の逆回転により、表裏の出力軸５９，５９へ逆回転で伝達される。つまり、それぞれの扉面側から見た場合、一方の扉面（表面１１ａ）側の回転入力部材５７が例えば時計回りに回転されると、他方の扉面（裏面１１ｂ）側の回転入力部材５７が反時計回りに回転される。これにより、錠ケース両側に表出する回転入力部材５７，５７が同一軸線回りの同一方向に回転可能となる。
【００４３】
なお、同一構造のままのプッシュプル機構を扉１１の表裏に設けた場合には、それぞれの扉面側から見た場合、一方の扉面（表面１１ａ）側の回転入力部材５７が例えば時計回りに回転されれば、他方の扉面（裏面１１ｂ）側の回転入力部材５７も時計回りに回転される。この場合、錠ケース両側に表出する一対の回転入力部材５７，５７は、同一軸線回りで同一方向には回転されずに、逆回転される。
【００４４】
したがって、上記構成のプッシュプル錠１００によれば、台座３３にカム取付板３９を固定し、カム取付板３９に筒状の駆動カム４７を回動自在に支持し、操作バー２１，２３に固定されたバーガイド４３の長穴４１を、カム取付板３９のバネ軸３７に係合して操作バー２１，２３を扉面に垂直な方向に移動自在に支持し、バーガイド４３に固定したガイド軸５５を、スライド軸５３を介して駆動カム４７の斜め溝４５に係合したので、操作バー２１，２３が扉面に垂直な方向に操作されると、バーガイド４３のスライド軸５３が同方向に移動し、スライド軸５３に斜め溝４５を係合する駆動カム４７が扉面に垂直な軸線回りに回転され、この回転が出力軸５９を介して回転入力部材５７へ入力される。つまり、操作バー２１，２３による扉面に垂直な方向の操作力を、駆動カム４７にて回転力に変換できる。したがって、回転入力部材５７を有する既設の錠ケース１９に、プッシュプル錠１００の出力軸５９を組み付けることが可能となる。この結果、既設の錠ケース１９を流用して、意匠性、操作性に優れたプッシュプル錠１００を安価に取り付けできる。
【００４５】
また、本実施の形態によるプッシュプル錠１００によれば、開扉側の表面１１ａには離反方向Ｌに移動操作される屋外操作バー２１が設けられ、その反対面には接近方向Ｎに移動操作される室内操作バー２３が設けられ、錠ケース１９を挟んで配置された一対の駆動カム４７，４７が扉両面のそれぞれにおいて逆回転するので、扉両面に設けられ開扉方向ａと同方向に操作されるそれぞれの操作バー２１，２３からの操作力で、錠ケース１９の回転入力部材５７，５７を同一軸回りの同一方向に回転させることができる。つまり、扉表裏で異なる方向の操作力を同一方向の回転力として錠ケース１９に入力することができる。この結果、回転入力部材以下の錠ボルト２５を進退作動させるための錠ケース内進退機構を単一機構で構成することができる。
【図面の簡単な説明】
【００４６】
【図１】本発明に係るプッシュプル錠を備えた扉の斜視図である。
【図２】図１のＡ−Ａ断面図である。
【図３】図２のＢ−Ｂ矢視図である。
【図４】錠ケース及び台座取付板の扉取付前の分解斜視図である。
【図５】台座、カム取付板及びバーガイドの分解斜視図である。
【図６】カム取付板、バーガイド受け、スライド軸、ガイド軸及びバーガイドの分解斜視図である。
【図７】出力軸、駆動カム、バネ軸、スライド軸及びベアリングの分解斜視図である。
【図８】プル側操作バーが引き操作された状態のプッシュプル錠の平断面図である。
【図９】図８に示したプッシュプル錠の縦断面図である。
【符号の説明】
【００４７】
１１…扉
１１ａ，１１ｂ…扉面
１９…錠ケース
２１…第１の操作バー（屋外操作バー）
２３…第２の操作バー（室内操作バー）
２５…錠ボルト
３１…台座取付板
３３…台座
３５…駆動カム支持穴
３７…バネ軸
３９…カム取付板
４１…長穴
４３…バーガイド
４５…斜め溝
４７…駆動カム
４９…基端部
５１…先端部
５３…スライド軸
５５…ガイド軸
５７…回転入力部材
５９…出力軸
６１…中央部
６３…一端
６５…他端
６７…カム戻りバネ
６９…バーガイド受け
８５ａ，８５ｂ…側面
１００…プッシュプル錠
ａ…開扉方向
【図１】
0005074953.tif 000002
【図２】
0005074953.tif 000003
【図３】
0005074953.tif 000004
【図４】
0005074953.tif 000005
【図５】
0005074953.tif 000006
【図６】
0005074953.tif 000007
【図７】
0005074953.tif 000008
【図８】
0005074953.tif 000009
【図９】
0005074953.tif 000010